(57)【要約】【課題】  容易な操作で効率良く楽に洗浄する。【解決手段】    取っ手２の先端部に備えたパッド取付台２ａに洗浄パッド３を取り付けた洗浄用具１において、前記洗浄パッド３のパッド取付台２ａ下方位置に上下に連通する空間３ａを形成し、取っ手２の内部に外部から供給した洗浄用水Ｗをパッド取付台２ａに給水する給水路２ｃを形成し、同給水路２ｃの後端部に給水ホース６を脱着自在に接続する接続部２ｇを形成し、パッド取付台２ａに給水路２ｃで給水した洗浄用水Ｗを洗浄パッド３の空間３ａに噴出する噴出口２ｆを開口し、パッド取付台２ａに洗浄剤Ｗａを貯留する洗浄剤容器４を取り付け、同洗浄剤容器４の底面に容器内の洗浄剤Ｗａを洗浄パッド３の空間３ａに滴下する滴下口４ｃを開口し、洗浄パッド３の空間３ａで滴下した洗浄剤Ｗａを噴出させた洗浄用水Ｗの水流で混合泡立させて洗浄できるようにした．【選択図】          図６ 
0003104478.tif 000002
【実用新案登録請求の範囲】
【請求項１】
取っ手の先端部に備えたパッド取付台に洗浄パッドを取り付けた洗浄用具において、前記洗浄パッドのパッド取付台下方位置に上下に連通する空間を形成し、取っ手の内部に外部から供給した洗浄用水をパッド取付台に給水する給水路を形成し、同給水路の後端部に給水ホースを脱着自在に接続する接続部を形成し、パッド取付台に給水路で給水した洗浄用水を洗浄パッドの空間に噴出する噴出口を開口し、パッド取付台に洗浄剤を貯留する洗浄剤容器を取り付け、同洗浄剤容器の底面に容器内の洗浄剤を洗浄パッドの空間に滴下する滴下口を開口し、洗浄パッドの空間で滴下した洗浄剤を噴出させた洗浄用水の水流で混合泡立させて洗浄できるようにしたことを特徴とする洗浄用具。
【請求項２】
洗浄剤の滴下口の周囲に洗浄用水の噴出口を放射状に複数開口した請求項１記載の洗浄用具。
【請求項３】
洗浄剤容器が、滴下口を有する底面を下方へ円筒状に隆起させ、同円筒部の側面に凸所を形成し、パッド取付台に洗浄剤容器の円筒部と同径の開口部を形成し、同開口部の内側面に凹所を形成し、洗浄剤容器の円筒部の凸所をパッド取付台の開口部の凹所に合わせて挿入後、洗浄剤容器を回転させてパッド取付台に脱着可能に固定するようにした請求項１又は２記載の洗浄用具。
【請求項４】
洗浄パッドが、パッド取付台に面ファスナーで離着自在に取り付けられたものである請求項１〜３いずれか記載の洗浄用具。
【請求項５】
洗浄パッドが、連続気泡を有する軟質の発泡合成樹脂で構成されたものである請求項１〜４いずれか記載の洗浄用具。
【考案の詳細な説明】
【技術分野】
【０００１】
本考案は、車両等の洗浄に好適に用いられる洗浄用具に関し、詳しくは容易な操作で効率良く楽に洗浄できるようにする技術に関する。
【背景技術】
【０００２】
従来、車両等の洗浄に用いられる洗浄用具が特許文献１に開示されている。この技術は、握持部の先端に発泡体からなる塗布用パッドを取り付け、同塗布用パッドに縦孔を穿設し、洗浄剤容器をその注入口と前記縦孔とが連通するように取り付け、洗浄剤容器内の洗浄剤が塗布用パッドに縦孔を通じて徐々に滲出し、被洗浄面に均一に払拭塗布して洗浄できるようにしたことを特徴としている。
【０００３】
ところで、前記の技術は洗浄時にホース等で給水した洗浄用水を被洗浄面に掛けながら塗布用パッドで払拭するか、又は洗浄前に塗布用パッドをバケツ等で用意した洗浄用水に一旦浸漬させて払拭する。その際、前者の方法では両手を使うため洗浄作業が大変で労力を伴い、後者の方法では洗浄用水が塗布用パッドの縦孔を通じて洗浄剤容器に流入し、洗浄剤の濃度が低下して洗浄効果が充分に発揮されなくなる問題があった。
【特許文献１】実用新案登録第３０３２５９２号公報
【考案の開示】
【考案が解決しようとする課題】
【０００４】
本考案が解決しようとする課題は、従来のこれらの問題点を解消し、容易な操作で効率良く楽に洗浄できる洗浄用具を提供することにある。
【課題を解決するための手段】
【０００５】
かかる課題を解決した本考案の構成は、
１）  取っ手の先端部に備えたパッド取付台に洗浄パッドを取り付けた洗浄用具において、前記洗浄パッドのパッド取付台下方位置に上下に連通する空間を形成し、取っ手の内部に外部から供給した洗浄用水をパッド取付台に給水する給水路を形成し、同給水路の後端部に給水ホースを脱着自在に接続する接続部を形成し、パッド取付台に給水路で給水した洗浄用水を洗浄パッドの空間に噴出する噴出口を開口し、パッド取付台に洗浄剤を貯留する洗浄剤容器を取り付け、同洗浄剤容器の底面に容器内の洗浄剤を洗浄パッドの空間に滴下する滴下口を開口し、洗浄パッドの空間で滴下した洗浄剤を噴出させた洗浄用水の水流で混合泡立させて洗浄できるようにしたことを特徴とする洗浄用具
２）  洗浄剤の滴下口の周囲に洗浄用水の噴出口を放射状に複数開口した前記１）記載の洗浄用具
３）  洗浄剤容器が、滴下口を有する底面を下方へ円筒状に隆起させ、同円筒部の側面に凸所を形成し、パッド取付台に洗浄剤容器の円筒部と同径の開口部を形成し、同開口部の内側面に凹所を形成し、洗浄剤容器の円筒部の凸所をパッド取付台の開口部の凹所に合わせて挿入後、洗浄剤容器を回転させてパッド取付台に脱着可能に固定するようにした前記１）又は２）記載の洗浄用具
４）  洗浄パッドが、パッド取付台に面ファスナーで離着自在に取り付けられたものである前記１）〜３）いずれか記載の洗浄用具
５）  洗浄パッドが、連続気泡を有する軟質の発泡合成樹脂で構成されたものである前記１）〜４）いずれか記載の洗浄用具
にある。
【考案の効果】
【０００６】
本考案によれば、洗浄パッドの空間で洗浄剤容器から滴下した洗浄剤が噴出口から噴出した洗浄用水の水流で激しく混合し、多量且つ均質で十分に泡立した洗浄液となる。この状態で洗浄パッドを被洗浄面上で横滑りさせることで空間の洗浄液により洗浄する。
【０００７】
従って、洗浄用水は取っ手の給水路を通じて給水されるから、別途ホース等で給水したりバケツ等の水に浸漬させることなく片手で能率良く楽に洗浄作業できる。また、洗浄剤の滴下口は洗浄用水の噴出口とは独立しているから、洗浄液中の洗浄剤の濃度を常時一定に保持して洗浄効果を不足なく発揮する。さらに、洗浄用水を常時給水しながら洗浄するから、被洗浄面上のゴミや汚れが滞留することなく洗い流されて被洗浄面を傷つけ難い。
【考案を実施するための最良の形態】
【０００８】
本考案の洗浄用水の噴出口は、洗浄剤の滴下口の周囲に複数放射状に開口すると、ムラなく均一に混合撹拌できて好ましい。洗浄パッドはパッド取付台に面ファスナーで離着自在に取り付けると、洗濯や絞りによる水切りを容易にし、損傷や汚損の際は手軽に交換できて好ましい。洗浄パッドは連続気泡を有する発泡合成樹脂が一般的に用いられるが、その他ブラシや布状物など洗浄用水と洗浄剤が混合する空間を形成できるものであれば採用できる。取っ手の給水路の接続部又は給水ホースには給水の停止や水量を調節できるバルブ等の調節器具を設けてもよい。以下、本考案の実施例を図面に基づいて具体的に説明する。
【実施例１】
【０００９】
図１〜６に示す実施例は、本考案を洗車用具に適用した例である。図１は実施例の洗浄用具の外観図、図２は実施例の取っ手の平面図、図３は実施例の取っ手の底面図、図４は実施例の洗浄パッドの斜視図、図５は図１のＡ−Ａ断面図、図６は図１のＢ−Ｂ断面における洗浄用水と洗浄剤の混合泡立を示す説明図である。
【００１０】
本実施例の洗浄用具１の取っ手２は、先端部に楕円状のパッド取付台２ａと後部に握り部２ｂを備えたプラスチック製で、パッド取付台２ａに一対の凹部２ｅを側面に備えた開口部２ｄを形成し、内部には後端からパッド取付台２ａに渡って開口部２ｄとは連通しない給水路２ｃを形成し、パッド取付台２ａに小孔の噴出口２ｆを開口部２ｄを囲むように複数開口し、握り部２ｂの後端部には給水ホース６を接続する接続部２ｇを形成し、パッド取付台２ａの底面に面ファスナーのフック５ａを貼着している。
【００１１】
洗浄パッド３は、連続気泡を有するスポンジからなり、パッド取付台２ａの開口部２ｄと略同径の空間３ａを上下に連通するように形成し、上面にパッド取付台２ａのフック５ａと掛合する面ファスナーのループ５を貼着している。
【００１２】
洗浄剤容器４は、外部から洗浄剤の減少を確認できる透明のプラスチックからなり、底面を取っ手２の開口部２ｄと同径に隆起させて円筒部４ａを形成し、円筒部４ａの底面を開放して小孔の滴下口４ｃが開口されたキャップ４ｄを脱着自在に取り付け、キャップ４ｄの側面に取っ手２の開口部２ｄの凹所２ｅに対応する凸所４ｂを突設している。Ｃは車両のボディ等の被洗浄面、Ｗは洗浄用水、Ｗａは洗浄剤、Ｗｂは洗浄液である。
【００１３】
本実施例では、パッド取付台２ａの底面のフック５ａに洗浄パッド３のループ５を掛合して取り付け、洗浄剤容器４のキャップ４ｄを取り外して洗浄剤Ｗａを注入し、キャップ４ｄを取り付けてその円筒部４ａをパッド取付台２ａの開口部２ｄに凹所２ｅと凸所４ｂとを合わせて挿入後、洗浄剤容器４を回転させて固定し、取っ手２の接続部２ｇに水道の蛇口（図示せず）から伸びる給水ホース６を接続する。
【００１４】
図５，６に示すように、洗浄用具１の洗浄パッド３を被洗浄面Ｃ上に置くと、洗浄剤容器４内の洗浄剤Ｗａが滴下口４ｃから空間３ａに滴下する。この状態で洗浄用水Ｗを給水ホース６で給水すると、洗浄用水Ｗは給水路２ｃ内を通じてパッド取付台２ａの各噴出口２ｆから空間３ａに噴出し、滴下した洗浄剤Ｗａと水流により激しく混合撹拌して泡立することで洗浄液Ｗｂが作られる。この洗浄液Ｗｂは連続気泡を通じて洗浄パッド３全域に浸透し、握り部２ｂで洗浄パッド３を被洗浄面Ｃに沿って軽く滑動させることで洗浄作業が成される。
【００１５】
従って、洗浄用水Ｗは取っ手２の給水路２ｃを通じて給水されるから、別途ホース等で給水したりバケツ等の水に浸漬させることなく片手で効率良く楽に洗浄作業できる。また、洗浄剤Ｗａの滴下口４ｃは洗浄用水Ｗの噴出口２ｆとは独立しているから、洗浄液Ｗｂ中の洗浄剤Ｗａの濃度を常時一定に保持して洗浄効果を不足なく発揮する。さらに、洗浄用水Ｗを常時給水しながら洗浄するから、被洗浄面Ｃ上のゴミや汚れが滞留することなく洗い流されて被洗浄面を傷つけ難い。
【産業上の利用可能性】
【００１６】
本考案の洗浄用具は、主として車両等の水平面の多い箇所の洗浄に用いられる。
【図面の簡単な説明】
【００１７】
【図１】実施例の洗浄用具の外観図である。
【図２】実施例の取っ手の平面図である。
【図３】実施例の取っ手の底面図である。
【図４】実施例の洗浄パッドの斜視図である。
【図５】図１のＡ−Ａ断面図である。
【図６】図１のＢ−Ｂ断面における洗浄用水と洗浄液の混合泡立を示す説明図である。
【符号の説明】
【００１８】
１  洗浄用具
２  取っ手
２ａ  パッド取付台
２ｂ  握り部
２ｃ  給水路
２ｄ  開口部
２ｅ  凹所
２ｆ  噴出口
２ｇ  接続部
３  洗浄パッド
３ａ  空間
４  洗浄剤容器
４ａ  円筒部
４ｂ  凸所
４ｃ  滴下口
４ｄ  キャップ
５  ループ
５ａ  フック
６  給水ホース
Ｃ  被洗浄面
Ｗ  洗浄用水
Ｗａ  洗浄剤
Ｗｂ  洗浄液
【図１】
0003104478.tif 000003
【図２】
0003104478.tif 000004
【図３】
0003104478.tif 000005
【図４】
0003104478.tif 000006
【図５】
0003104478.tif 000007
【図６】
0003104478.tif 000008